(57)【要約】【課題】プラスチック製品と一体成型できる無線周波認識装置を提供する。【解決手段】軟性回路板１の外表面１０に無線周波認識装置（ＲＦＩＤ）１１を設けてから軟性回路板１の外表面１０に対して保護機能を持つように軟性回路板１の外表面１０に保護層２を設けて、それから軟性回路板１の内表面１２に対して保護機能を持つように軟性回路板１の内表面１２にまた粘着層３を設ける。【選択図】図２
2007094670.tif 000002
【特許請求の範囲】
【請求項１】
軟性回路板、保護層、及び粘着層を備え、
軟性回路板の表面に無線周波認識装置（ＲＦＩＤ）が設けられ、
保護層は前記軟性回路板の外表面に設けられ、
粘着層は前記軟性回路板の内表面に設けられていることを特徴とするダイス内成型する無線周波認識タグ。
【請求項２】
前記粘着層は単層であることを特徴とする請求項１に記載のダイス内成型する無線周波認識タグ。
【請求項３】
粘着層が複数層になるように粘着層の外表面にまた副粘着層を設けることを特徴とする請求項１に記載のダイス内成型する無線周波認識タグ。
【請求項４】
前記副粘着層は断熱材で作られることを特徴とする請求項３に記載のダイス内成型する無線周波認識タグ。
【請求項５】
粘着層は断熱材で作られることを特徴とする請求項１に記載のダイス内成型する無線周波認識タグ。
【請求項６】
プラスチック製品を備え、
プラスチック製品はタグと一体成型になり、その上に固定パーツが貫通可能な孔を設けて、孔によって器物に固着可能であることを特徴とするダイス内成型する無線周波認識タグ。
【請求項７】
前記固定パーツはプラスチックと一体成型可能であることを特徴とする請求項６に記載のダイス内成型する無線周波認識タグ。
【請求項８】
前記プラスチック製品には、延長アンテナの雄または雌のコネクターと繋いで無線周波認識装置のアンテナが延長可能なように、雌または雄のコネクターを設けることが可能な請求項６に記載のダイス内成型する無線周波認識タグ。
【発明の詳細な説明】
【技術分野】
【０００１】
本発明はダイス内成型する無線周波認識タグに関して、特に軟性回路板の外表面に無線周波認識装置（ＲＦＩＤ）が設けてあるものを指す。また、軟性回路板の内・外表面に、軟性回路板の内・外表面に対して保護機能を持たせるためにそれぞれ保護層及び粘着層が設けてある。そして本タグをプラスチック成型ダイスに入れてプラスチック製品と一体成型にする時、粘着層によってプラスチック製品と一体に結合できるため、無線周波認識装置の応用分野が拡大できる。
【背景技術】
【０００２】
目下、無線周波認識は各種の商品に応用されてきた。その機能とは品物の流通、識別、確認及び分類などを加速させるのである。唯、目下の無線周波認識チップは皆表面粘着技術を以って軟性回路板の表面に粘着され、そして該軟性回路板を商品の上方に貼り合わせてから軟性回路板の表面においてまたグルーでくっつけることによって該軟性回路板にある無線周波認識装置を破壊或いは磨耗から守る
【０００３】
その欠点としては、応用範囲が極めて大きく制限されるし、また一枚の回路板を貼ると直ぐにグルーで貼らなければならないため、大量に応用しようとする使用者にとって仕事が増えることになって生産キャパシティーが低下してコストアップをもたらしたことが挙げられる。
そこで、本発明者は長年に渡ってダイス内成型するタグへの設計、研究及び製造の経験を積重ねて各種の従来知られた無線周波認識装置における応用欠点に対して研究を加えて本発明を考え出したのである。
【発明の開示】
【発明が解決しようとする課題】
【０００４】
本発明の目的としては、プラスチック製品と一体成型できる無線周波認識装置を提供して、無線周波認識装置における応用分野を拡大すると同時に有すべき生産キャパシティーも保持するところにある。
【課題を解決するための手段】
【０００５】
本発明の長所を以下に述べる。
（１）本発明のダイス内成型する無線周波認識タグとは、軟性回路板の外表面に無線周波認識装置（ＲＦＩＤ）を設けてから軟性回路板の外表面に対して保護機能を持つように軟性回路板の外表面に保護層を設けて、それから軟性回路板の内表面に対して保護機能を持つように軟性回路板の内表面にまた粘着層を設ける。
（２）本発明のダイス内成型する無線周波認識タグの応用構造とは、本タグをプラスチック成型ダイス内に入れてプラスチック製品と一体成型してから粘着層によってプラスチック製品と一体に結合できるため、無線周波認識装置の応用分野が拡大できる。
【発明を実施するための最良の形態】
【０００６】
よって、本発明が理解できるように別添の図面を以って次のように説明する。
図１及び図２に示されたのは本発明の第一実施例によるタグ構造である。図の中に示されたように第一実施例のタグＡには次のようなパーツが含まれている。
軟性回路板１は、外表面１０において表面粘着技術を以って無線周波認識装置（ＲＦＩＤ）１１が加工されている。無線周波認識装置１１には無線周波認識チップ及びアンテナがある。また第一実施例に利用された無線周波認識チップは、本発明の応用目的により、一種のリードオンリーのチップ或いは一種の繰り返し読み書きのできるチップでもよい。
【０００７】
保護層２は、軟性回路板１の外表面１０に印刷済みの無線周波認識装置（ＲＦＩＤ）１１に対して適当な保護機能を持って不当な磨耗から守るために軟性回路板１の外表面１０に設けられる。そして無線周波認識装置（ＲＦＩＤ）１１が認識装置に識別されることを確保するために保護層２は透明層にする。
粘着層３は、軟性回路板１の内表面１２に対して保護機能を持つように軟性回路板１の内表面１２に設けられ、また当タグＡをプラスチック成型ダイスに入れてプラスチック製品と一体成型にしたら、タグＡの粘着層３によってプラスチック製品４と一体になるように結合できるため、無線周波認識装置の応用分野が向上できる。また、この粘着層３とは単層のもの（図２参照）であってもよく、或いは粘着層３の外表面に再び副粘着層３０を設ける複数層（図３参照）のものであってもよい。また粘着層３或いは副粘着層３０とは、無線周波認識装置（ＲＦＩＤ）を高温による破壊から守るように、断熱材で作られるものであり、断熱材とは不織布、発泡材、コルク材など保護機能のある断熱材料で作られるものである。複数層の粘着層である場合、コスト及び肉厚から考えると、粘着層３若しくは副粘着層３０を断熱材で製作すればよい。
それから第一実施例のタグの構造の応用については、タグＡをプラスチックダイスの中に入れて、プラスチック製品４が射出成型、または押出成型、または真空成型、または吹出し成型によって成型されたら、プラスチック製品と一体に結合できる。
【０００８】
図４及び図５に示されたものは、本発明の第二実施例によるタグであり、第二実施例におけるプラスチック製品４はタグＡと一体成型になり、またプラスチック製品４に孔４０を設け、孔４０を固定パーツ４１が貫通でき、固定パーツ４１は図４のような弾性留め金であってもよく、そしてこの固定パーツ４１によって器物５に固着されると（固定方法は図５参照）、器物５に無線周波認識装置１１が設置できるため、器物のメーカー側では二次加工を行う手間がなくなる。
【０００９】
又、図６に示されたのは、本発明の第三実施例によるタグであり、第三実施例におけるプラスチック４はタグＡと一体成型になり、またプラスチック４に孔４０を設けて、孔４０によって固定パーツ４１が固定でき、固定パーツ４１とは図５のようなネジであるものでもよく、またこの固定パーツ４１を利用して器物５に固着されると（固定方法は図６参照）、器物５に無線周波認識装置１１が設置できるため、器物のメーカー側では二次加工を行う手間がなくなる。
続いて図７に示されたのは、本発明の第四実施例によるタグであり、第四実施例におけるプラスチック４はタグＡと一体成型になり、またプラスチック４に一体成型の固定パーツ４１を設けて、固定パーツ４１を利用して器物５に固着されると器物５に無線周波認識装置１１が設置できるため、器物のメーカー側では二次加工を行う手間がなくなる。
【００１０】
また図８に示されたものは、本発明の第五実施例によるタグであり、第五実施例におけるプラスチック製品４はタグＡと一体成型になり、またプラスチック製品４に孔４０を設け、孔４０を固定パーツ４１が貫通でき、固定パーツ４１は図８のような線束ねであってもよく、そしてこの固定パーツ４１によって器物５に束ねられる（束ね方は図１１参照）と器物５に無線周波認識装置１１が設置できるため、器物を識別するのに便利になる。また、固定パーツ４１を切り取ってからタグＡを含めたプラスチック製品４を回収して、タグ内にある無線周波認識装置１１のチップに改めて読み書きができるため、繰り返して利用する目的が実現できる。
【００１１】
また図９に示されたものは、本発明の第六実施例によるタグであり、第六実施例におけるプラスチック製品４はタグＡと一体成型になり、またプラスチック製品４に孔４０を設け、孔４０を固定パーツ４１が貫通でき、固定パーツ４１は図８のような線束ねであってもよく、そしてこの固定パーツ４１によって器物５に束ねられる（束ね方は図１１参照）と器物５に無線周波認識装置１１が設置できるため、器物を識別するのに便利になる。また、固定パーツ４１を切り取ってからタグＡを含めたプラスチック製品４を回収して、タグ内にある無線周波認識装置１１のチップに改めて読み書きができるため、繰り返して利用する目的が実現できる。
【００１２】
また図１０、図１１及び図１２に示されたものは、本発明の第七実施例及び第八実施例によるタグであり、第七実施例と第八実施例におけるプラスチック製品４はタグＡと一体成型になり、またプラスチック製品４に一体成型の固定パーツ４１を設けてから固定パーツ４１によって器物５に束ねられる（図１１参照）と器物５に無線周波認識装置１１が設置できるため、器物を識別するのに便利になる。
【００１３】
また図１３及び図１４に示されたものは、本発明の第九実施例及び第十実施例によるタグであり、第九実施例と第十実施例におけるプラスチック製品４はタグＡと一体成型になり、またプラスチック製品４に一体成型の固定パーツ４１を設けて、固定パーツ４１によって大型器物６（図１５参照）の適当な位置に束ねられると、大型器物６に無線周波認識装置１１が設置できるため、器物を識別するのに便利になる。更に大型器物６に固着された無線周波認識装置１１から順調に信号の発射・受信を行わせるような延長アンテナ１１０が設けてある。その延長アンテナ１１０に雄または雌のコネクター１１１を設けて、この雄または雌のコネクター１１１はプラスチック製品４とそのまま結合できたり（図１３参照）、プラスチック製品４に予め設けておいた雌または雄のコネクター４２（図１４参照）に繋ぐことができるため、無線周波装置のアンテナが適当に延長できる。延長したアンテナ１１０の長さについてはタグを固着する箇所によって決められる。図１５に示すように大型器物６のコンテナーに利用された場合、無線周波認識装置１１から発射した信号をスムーズに受信するにはアンテナ１１０をコンテナーのリアからフロントまで延長することができる。
【００１４】
図１６に示されたのは、本発明の第十一実施例によるタグであり、第十一実施例におけるプラスチック製品４では常用のプラスチック容器を以って本発明の実施例のタグの応用を説明したのである。実際は、本発明の実施例のタグＡと適合であれば何れの物品にも広く応用できるものである。第十一実施例に掲示されたのは、タグをプラスチック製品と直接ダイス内で成型する方法で結合したものである。そこでタグＡは射出成型、或いは押出成型、或いは吹出し成型、或いは真空成型によって何れの種類のプラスチック製品４とも結合できるため、プラスチック製品４とタグＡとが一体成型になり、それにプラスチック製品においてそのまま無線周波認識装置１１を設けるとプラスチック製品を識別するに便利になる。
そこで本発明の実施例のタグを随意に何れの物品にも応用できるようにして、無線周波装置の応用を極めて便利で快速にさせたのは本発明の実施例の構成である。
【図面の簡単な説明】
【００１５】
【図１】本発明の第一実施例によるタグの俯瞰図である。
【図２】本発明の第一実施例によるタグの断面図である。
【図３】本発明の第一実施例によるタグの断面図である。
【図４】本発明の第二実施例によるタグの断面図である。
【図５】本発明の第二実施例によるタグの立体図である。
【図６】本発明の第三実施例によるタグの立体図である。
【図７】本発明の第四実施例によるタグの立体図である。
【図８】本発明の第五実施例によるタグの立体分解図である。
【図９】本発明の第六実施例によるタグの立体分解図である。
【図１０】本発明の第七実施例によるタグの立体図である。
【図１１】本発明の第七実施例によるタグの設置図である。
【図１２】本発明の第八実施例によるタグの立体図である。
【図１３】本発明の第九実施例によるタグの立体図である。
【図１４】本発明の第十実施例によるタグの立体図である。
【図１５】本発明の第九実施例によるタグの設置図である。
【図１６】本発明の第十一実施例によるタグの斜視図である。
【符号の説明】
【００１６】
１  軟性回路板、１０  外表面、１１  無線周波認識装置、１１０  延長アンテナ、１１１  ソケット、１２  内表面、２  保護層、３  粘着層、４  プラスチック製品、４０  孔、４１  固定パーツ、５  器物、６  大型器物、Ａ  タグ
【図１】
2007094670.tif 000003
【図２】
2007094670.tif 000004
【図３】
2007094670.tif 000005
【図４】
2007094670.tif 000006
【図５】
2007094670.tif 000007
【図６】
2007094670.tif 000008
【図７】
2007094670.tif 000009
【図８】
2007094670.tif 000010
【図９】
2007094670.tif 000011
【図１０】
2007094670.tif 000012
【図１１】
2007094670.tif 000013
【図１２】
2007094670.tif 000014
【図１３】
2007094670.tif 000015
【図１４】
2007094670.tif 000016
【図１５】
2007094670.tif 000017
【図１６】
2007094670.tif 000018